(57)【要約】      （修正有）【課題】簡易な方法で手軽に施工でき、補修後に補修部分におけるブリード現象の発生を抑えることができて、ボルト孔の痕跡を残さないアンカーボルト孔補修用パッチを提供する。【解決手段】仮設足場の撤去後に残るアンカーボルトのボルト孔２を補修するためにボルト孔２に嵌合される補修用パッチ４であって、ボルト孔２に対応する径で厚みが１．８〜５ｍｍの樹脂製円板である。【選択図】図１
0003230373.tif 000002
【実用新案登録請求の範囲】
【請求項１】
仮設足場の撤去後に残るアンカーボルトのボルト孔を補修するために前記ボルト孔に嵌合される補修用パッチであって、
前記ボルト孔に対応する径で厚みが１．８〜５ｍｍの樹脂製円板であることを特徴とするアンカーボルト孔補修用パッチ。
【請求項２】
前記補修用パッチはアクリル樹脂、ポリウレタン樹脂又は変性処理した樹脂製である、請求項１に記載のアンカーボルト孔補修用パッチ。
【請求項３】
予め外壁面に対応する色付け処理及び／又は粗面加工処理が施されている、請求項１又は２に記載のアンカーボルト孔補修用パッチ。
【考案の詳細な説明】
【技術分野】
【０００１】
本考案は、アンカーボルト孔補修用パッチに関するものであり、より詳細には、仮設足場の設置を伴うＲＣ造（鉄筋コンクリート造）の改修工事等の終了後に、仮設足場を撤去するに伴って外壁面に残る、仮設足場材の転倒防止用アンカーボルトのボルト孔の表面を補修処理するための、アンカーボルト孔補修用パッチに関するものである。
【背景技術】
【０００２】
ＲＣ造の改修工事等においては、工事に先立って建物の周囲に仮設足場が組まれるが、その際、仮設足場材の転倒を防止するために、仮設足場材から建物外壁面にアンカーボルトが打ち込まれる。そして、そのアンカーボルトは、工事終了後、仮設足場を撤去する際に抜き取られるが、そこにボルト孔が残るので、その部分の補修が必要となる。
【０００３】
このアンカーボルト孔の補修は一般に、ボルト孔にシーリング材を充填し、その上に外装トップコート（上塗り塗装）を施工することにより行われている。この方法は簡便ではあるが、数年後にその補修部分にブリード現象、即ち、シーリング材に含まれる可塑剤がにじみ出て、塗料や汚れと反応して変色する現象が起こり、見た目が悪くなるおそれがある。
【０００４】
このアンカーボルト孔の補修に関しては、上記一般的な方法の他に、種々の提案がなされている。例えば、実開平７−４６８２号公報に記載の考案は、外壁孔を再使用可能にするために、ボルト孔を、脱着可能なカバー部材で閉塞するというものであるが、この方法の場合は、多数のカバー部材が露見することになり、外観が損なわれるおそれがあるという問題がある。また、特開平７−３３１８６６号公報に記載の考案は、足場インサートと組みになったストッパーを、壁中に残置する足場インサートに挿入して孔を閉鎖するというものであるが、この方法の場合は、足場材ごとに専用の足場インサートを用意し、それをボルト孔に埋設する必要があり、手間とコストがかかる。
【０００５】
更に、実用新案登録第３１８８２１５号公報に記載の考案は、施工跡が壁面と異なって目立ってしまうことに鑑み、壁面と同様の模様を形成したスタンプ面を有する補修用具を設け、そのスタンプ面をボルト孔に充填した補修材に押し付けて造形するというものであるが、この方法の場合は、その都度壁面に合う補修用具を設ける必要があり、作業にも手間がかかる。
【先行技術文献】
【特許文献】
【０００６】
【特許文献１】実開平７−４６８２号公報
【特許文献２】特開平７−３３１８６６号公報
【特許文献３】実用新案登録第３１８８２１５号公報
【考案の概要】
【考案が解決しようとする課題】
【０００７】
上述したように、従来行われている仮設足場の撤去後に残るボルト孔の補修方法によった場合は、数年後にブリード現象によって補修部分が変色したりして見た目が悪くなるおそれがあるという問題があり、また、上記先行技術文献において提案されている補修方法の場合は、手間やコストがかかるだけでなく、痕跡の払拭という課題を解決し得ないといった問題があった。
【０００８】
本考案は、このような問題を解決するためになされたもので、簡易な方法で手軽に施工でき、補修後に補修部分におけるブリード現象の発生を抑えることができて、ボルト孔の痕跡を残さない、アンカーボルト孔補修方法及びそれに用いる補修用パッチを提供することを課題とする。
【課題を解決するための手段】
【０００９】
上記課題を解決するための請求項１に記載の考案は、仮設足場の撤去後に残るアンカーボルトのボルト孔を補修するために前記ボルト孔に嵌合される補修用パッチであって、前記ボルト孔に対応する径で厚みが１．８〜５ｍｍの樹脂製円板であることを特徴とするアンカーボルト孔補修用パッチである。
【００１０】
一実施形態においては、前記補修用パッチはアクリル樹脂、ポリウレタン樹脂又は変性処理した樹脂製であり、また、予め外壁面に対応する色付け処理及び／又は粗面加工処理が施されたものである。
【考案の効果】
【００１１】
本考案に係るアンカーボルト孔補修用パッチは上記のとおりであって、シーリング材が充填されたボルト孔をこの補修用パッチで閉塞した後、その部分に外装トップコートを施工することにより、シーリング材の漏出を押えることができ、以て、その補修部分におけるブリード現象の発生を抑止することができ、以て、ボルト孔の痕跡が残って見た目が損なわれることを防止し得る効果がある。
【図面の簡単な説明】
【００１２】
【図１】本考案に係るアンカーボルト孔補修用パッチを用いた補修方法の工程を示す説明図である。
【考案を実施するための形態】
【００１３】
本考案を実施するための形態につき、添付図面に依拠して説明する。本考案に係る補修用パッチ４は、通例、ボルト孔２と同じ径で、厚みが１．８〜５ｍｍの塩化ビニール樹脂、アクリル樹脂等の樹脂製円板であるが、外装トップコートとして多く用いられている塗料との相性からして、アクリル樹脂、ポリウレタン樹脂又は変性処理した樹脂製であることが好ましい。補修用パッチ４は、ボルト孔２に押し込み嵌合することにより、シーリング材３に接着されて脱落することはない。
【００１４】
補修用パッチ４は、例えば、浅いケース内にアクリル樹脂を所定量流し込み、均一な厚さに硬化させた後、ボルト孔２に対応するサイズの円形に型抜きして量産することができる。その型抜き前に表面に、外壁面１に施工する外装トップコート５と同じ外装トップコート５を吹き付け塗装処理しておけば、補修用パッチ４の表面が外装トップコート５と同色となるため、補修後、補修用パッチ４は一層目立たないものとなる。また、事前に表面を、外壁面１と同じ又はそれに近い粗面に加工しておけば、補修用パッチ４は一層目立たないものとなる。
【００１５】
本考案に係る補修用パッチ４を用いて行なうアンカーボルト孔補修方法は、仮設足場の撤去後に外壁面１に残るアンカーボルトのボルト孔２にシーリング材３を充填する工程（図１（Ａ），（Ｂ））と、シーリング材３を充填したボルト孔２に、当該ボルト孔２に対応するサイズの補修用パッチ４を、外壁面１と面一に嵌合する工程（図１（Ｃ），（Ｄ））と、シーリング材３の乾燥後、補修用パッチ４及びその周囲の外壁面１に外装トップコート５を施工する工程（図１（Ｅ））とから成る。
【００１６】
ボルト孔２へのシーリング材３の充填は一般的方法で行い、若干溢れる程度に注入する（図１（Ｂ））。その後直ちに補修用パッチ４を、外壁面１と面一になるように押し込み嵌合する（図１（Ｄ））。
【産業上の利用可能性】
【００１７】
本考案に係るアンカーボルト孔補修用パッチは上記のとおりであって、ボルト孔を補修用パッチで閉塞した後に補修用パッチ及びその周囲外壁面に外装トップコートを施工するという簡易な方法で、シーリング材の漏出を押さえて補修部分におけるブリード現象の発生を抑止することができ、以て、外壁面にボルト孔の痕跡が残って見た目が損なわれることを防止し得る効果があるものであり、その産業上の利用可能性は大である。
【符号の説明】
【００１８】
１        外壁面
２        ボルト孔
３        シーリング材
４        補修用パッチ      
５        外装トップコート
【図１】
0003230373.tif 000003